(57)【要約】【課題】本発明は、自脱型コンバインにおけるフィードチェーンカバーを作製するための金型を少なくし、金型費用等のコストを抑えることができるようにすることにある。【解決手段】前側及び後側の分割フィードチェーンカバー２８ａ，２８ｂを同一の外形状に構成し、前側及び後側の分割フィードチェーンカバー２８ａ，２８ｂの分割辺部２９を突き合わせた状態で取り付ける。前側及び後側の分割フィードチェーンカバー２８ａ，２８ｂの上辺部３０ａ，３０ｃを、側面視でフィードチェーン８に沿った後上がり状に形成する。後側の分割フィードチェーンカバー２８ｂにおける上辺部３０ｃよりも後方に位置する上辺部３０ｄを、側面視で上辺部３０ｃよりも緩い登り傾斜又は水平に形成する。【選択図】図１
2011160756.tif 000002
【特許請求の範囲】
【請求項１】
刈取穀稈を後上がり状に配設されたフィードチェーンで挟持搬送して脱穀する自脱型コンバインであって、
前記フィードチェーンの下側に沿って配置されて前記フィードチェーンの横外側を覆うフィードチェーンカバーを前後に二分割に構成し、前記前側の分割フィードチェーンカバーと前記後側の分割フィードチェーンカバーとを同一の外形状に形成して、前記前側及び後側の分割フィードチェーンカバーの分割辺部を突き合わせた状態で、前記前側及び後側の分割フィードチェーンカバーを脱穀装置に取り付け、
前記前側及び後側の分割フィードチェーンカバーを脱穀装置に取り付けた状態において、前記フィードチェーンに沿って形成された扱室の穀稈挿入口に対応する前記前側及び後側の分割フィードチェーンカバーの上辺部を、側面視で前記フィードチェーンに沿った後上がり状に形成し、
前記後側の分割フィードチェーンカバーにおける前記穀稈挿入口に対応する上辺部よりも後方に位置する上辺部を、側面視で前記穀稈挿入口に対応する上辺部よりも緩い登り傾斜又は水平に形成してあることを特徴とする自脱型コンバイン。
【請求項２】
前記前側及び後側の分割フィードチェーンカバーを脱穀装置に取り付けた状態において、前記前側及び後側の分割フィードチェーンカバーの分割辺部を、側面視で前記穀稈挿入口に対応する上辺部に対して直交するように形成してある請求項１記載の自脱型コンバイン。
【請求項３】
前記前側及び後側の分割フィードチェーンカバーを脱穀装置に取り付けた状態において、前記前側の分割フィードチェーンカバーにおける前記穀稈挿入口に対応する上辺部よりも前方に位置する上辺部を、側面視で前記穀稈挿入口に対応する上辺部よりも前下がり状に形成してある請求項１又は２記載の自脱型コンバイン。
【請求項４】
前記前側及び後側の分割フィードチェーンカバーを脱穀装置に取り付けた状態において、前記前側の分割フィードチェーンカバーにおける前記穀稈挿入口に対応する上辺部よりも前方に位置する上辺部を、側面視で直線状又は上側に凸曲した湾曲線状に形成してある請求項３記載の自脱型コンバイン。
【請求項５】
前記前側及び後側の分割フィードチェーンカバーを脱穀装置に取り付けた状態において、前記前側の分割フィードチェーンカバーの前端辺部を、側面視で上方ほど後方に傾斜するように形成してある請求項１〜４のいずれか一項に記載の自脱型コンバイン。
【請求項６】
前記前側及び後側の分割フィードチェーンカバーを脱穀装置に取り付けた状態において、側面視で前記前側の分割フィードチェーンカバーの重心よりも上側で且つ該重心に対して前後に間隔を隔てて振り分けた前記前側の分割フィードチェーンカバーの部分に、一対のロック及びロック解除用の操作部を備え、
前記前側及び後側の分割フィードチェーンカバーを脱穀装置に取り付けた状態において、側面視で前記後側の分割フィードチェーンカバーの重心よりも上側で且つ該重心に対して前後に間隔を隔てて振り分けた前記後側の分割フィードチェーンカバーの部分に、一対のロック及びロック解除用の操作部を備えてある請求項１〜５のいずれか一項に記載の自脱型コンバイン。
【発明の詳細な説明】
【技術分野】
【０００１】
本発明は、刈取穀稈を後上がり状に配設されたフィードチェーンで挟持搬送して脱穀する自脱型コンバインに関する。
【背景技術】
【０００２】
従来、特許文献１に示されているように、フィードチェーンの下方部分を覆う板金製の横長のフィードチェーンカバーを形成したものが知られている。特許文献１に示されているように、フィードチェーンカバーが一つのカバーで形成するとカバーが大型となり、取り扱いに不便である。
【０００３】
フィードチェーンカバーではないが、脱穀装置の下部のベルト式伝動機構を覆う伝動部カバーやその上部の脱穀装置の側部のカバーを前後に二つに分割したものが特許文献２に示されている。このように、脱穀装置の側部のカバーを前後方向で分割すると一つ一つのカバーが軽量化できる利点がある。
【先行技術文献】
【特許文献】
【０００４】
【特許文献１】特開平１１−１９２０１４号公報
【特許文献２】特開２００９−３４０１６号公報
【発明の概要】
【発明が解決しようとする課題】
【０００５】
しかし、脱穀装置の側部のカバーを単に二つに分割するだけでは、カバーを製造する為の金型を分割されたカバーの数だけ必要となり、金型の製作に手間が掛かり、金型の作製費が高いものとなる。
【０００６】
本発明は、自脱型コンバインにおける脱穀装置の脱穀フィードチェーンを覆うフィードチェーンカバーを作製するための金型を少なくし、金型費用等のコストを抑えることができるようにすることを目的としたものである。
【課題を解決するための手段】
【０００７】
〔第１発明の構成〕
本第１発明は、刈取穀稈を後上がり状に配設されたフィードチェーンで挟持搬送して脱穀する自脱型コンバインであって、
前記フィードチェーンの下側に沿って配置されて前記フィードチェーンの横外側を覆うフィードチェーンカバーを前後に二分割に構成し、前記前側の分割フィードチェーンカバーと前記後側の分割フィードチェーンカバーとを同一の外形状に形成して、前記前側及び後側の分割フィードチェーンカバーの分割辺部を突き合わせた状態で、前記前側及び後側の分割フィードチェーンカバーを脱穀装置に取り付け、前記前側及び後側の分割フィードチェーンカバーを脱穀装置に取り付けた状態において、前記フィードチェーンに沿って形成された扱室の穀稈挿入口に対応する前記前側及び後側の分割フィードチェーンカバーの上辺部を、側面視で前記フィードチェーンに沿った後上がり状に形成し、前記後側の分割フィードチェーンカバーにおける前記穀稈挿入口に対応する上辺部よりも後方に位置する上辺部を、側面視で前記穀稈挿入口に対応する上辺部よりも緩い登り傾斜又は水平に形成してあることを特徴とする。
【０００８】
〔作用〕
一般にフィードチェーンカバーを製作する金型としては、一つの一体物で形成したフィードチェーンカバーの場合、フィードチェーン全長分の金型が必要である。
これに対して本第１発明によると、フィードチェーンの横外側を覆うフィードチェーンカバーを前後に二分割に構成して、前側の分割フィードチェーンカバーと後側の分割フィードチェーンカバーを同一の外形状に形成しており、前側及び後側の分割フィードチェーンカバーの金型を共用して、製作した二個の分割フィードチェーンカバーの分割辺部を突き合わせた状態で点対称の状態で脱穀装置に取り付けるようにしてある。
【０００９】
これにより、例えば図８に示すように、前側及び後側の分割フィードチェーンカバー２８ａ，２８ｂにおける穀稈挿入口に対応する上辺部３０ａ，３０ｃを、扱室の穀稈挿入口に対応する部分として適合するようにフィードチェーンに沿った後上がり状に構成することができる。このように構成すると、上辺部３０ａに対応する後側の分割フィードチェーンカバー２８ｂの下辺部３０ａ’、並びに、上辺部３０ｃに対応する前側の分割フィードチェーンカバー２８ａの下辺部３０ｃ’も同様に後上がり状となる。
例えば図８に示すように、後側の分割フィードチェーンカバー２８ｂにおける穀稈挿入口に対応する上辺部３０ｃよりも後方に位置する上辺部３０ｄを、上辺部３０ｃよりも緩い登り傾斜又は水平に構成すると、上辺部３０ｃに対応する前側の分割フィードチェーンカバー２８ａの下辺部３０ｄ’も同様に緩い登り傾斜又は水平となる。
【００１０】
即ち、本来のフィードチェーンカバーとして必要な長さの略半分の長さの同一形状の分割フィードチェーンカバーでありながら、分割フィードチェーンカバーにおける上及び下辺部のうち、一方を前側の分割フィードチェーンカバーの上辺部として適用し、他方を後側の分割フィードチェーンカバーの上辺部として適用することができ、分割フィードチェーンカバーの上及び下辺部を、前側の分割フィードチェーンカバーの上辺部と後側の分割フィードチェーンカバーの上辺部として利用することによって、同一形状の二つの前側及び後側の分割フィードチェーンカバーにより、フィードチェーンを覆うフィードチェーンカバーを得ることができた。
【００１１】
〔発明の効果〕
したがって、本第１発明によれば、フィードチェーンを覆うフィードチェーンカバーを製作するための金型を半分程度の大きさの小型のものとすることができ、金型費用等のコストを抑えることができるに至った。又、金型で製作した製品（分割フィードチェーンカバー）も一種類で済むので、製作した製品の管理も容易に行うことができる。
【００１２】
〔第２発明の構成〕
本第２発明は、第１発明の構成において、次のように構成することにある。
前記前側及び後側の分割フィードチェーンカバーを脱穀装置に取り付けた状態において、前記前側及び後側の分割フィードチェーンカバーの分割辺部を、側面視で前記穀稈挿入口に対応する上辺部に対して直交するように形成してある。
【００１３】
〔作用及び効果〕
前側及び後側の分割フィードチェーンカバーの分割辺部が、前側及び後側の分割フィードチェーンカバーにおける穀稈挿入口に対応する上辺部に対して直交しなくても、前側及び後側の分割フィードチェーンカバーを点対称となる同一形状にすることは可能である。
しかし、本第２発明によると、例えば図８に示すように、前側及び後側の分割フィードチェーンカバー２８ａ，２８ｂの分割辺部２９を、側面視で穀稈挿入口に対応する上辺部３０ａ，３０ｃに対して直交するように形成することによって、金型の長さを短くすることができ、これに伴って前側及び後側の分割フィードチェーンカバー２８ａ，２８ｂの長さを短くすることができる。
【００１４】
〔第３発明の構成〕
本第３発明は、第１又は第２発明の構成において、次のように構成することにある。
前記前側及び後側の分割フィードチェーンカバーを脱穀装置に取り付けた状態において、前記前側の分割フィードチェーンカバーにおける前記穀稈挿入口に対応する上辺部よりも前方に位置する上辺部を、側面視で前記穀稈挿入口に対応する上辺部よりも前下がり状に形成してある
【００１５】
〔作用及び効果〕
刈取前処理装置からの穀稈の受け継ぎ部（例えば図８の３０ｂに対応する部分）から穀稈挿入口に対応する穀稈挟持部（例えば図８の３０ａに対応する部分）の範囲に亘って直線状のフィードチェーンと、刈取前処理装置からの穀稈の受け継ぎ部（例えば図８の３０ｂに対応する部分）が後方の穀稈挿入口に対応する穀稈挟持部（例えば図８の３０ａに対応する部分）に対して前下がり状のフィードチェーンとが知られている。
本第３発明によれば、前側の分割フィートチェーンカバーを、受け継ぎ部が前下がりとなっている自脱型コンバインに無理なく適用することができる。
【００１６】
〔第４発明の構成〕
本第４発明は、第３発明の構成において、次のように構成することにある。
前記前側及び後側の分割フィードチェーンカバーを脱穀装置に取り付けた状態において、前記前側の分割フィードチェーンカバーにおける前記穀稈挿入口に対応する上辺部よりも前方に位置する上辺部を、側面視で直線状又は上側に凸曲した湾曲線状に形成してある。
【００１７】
〔作用及び効果〕
刈取前処理装置からの穀稈の受け継ぎ部（例えば図８の３０ｂに対応する部分）が直線状のフィードチェーンと、刈取前処理装置からの受け継ぎ部（例えば図８の３０ｂに対応する部分）が上側に凸曲した湾曲線状のフィードチェーンとが知られている。
本第４発明によれば、前側の分割フィードチェーンカバーにおける穀稈挿入口に対応する上辺部よりも前方に位置する上辺部を直線状に形成した場合、前側の分割フィードチェーンカバーを、受け継ぎ部が直線状に構成された自脱型コンバインに無理なく適用することができる。前側の分割フィードチェーンカバーにおける穀稈挿入口に対応する上辺部よりも前方に位置する上辺部を上側に凸曲した湾曲線状に形成した場合、前側の分割フィードチェーンカバーを、受け継ぎ部が上側に凸曲した湾曲線状の自脱型コンバインに無理なく適用することができる。
【００１８】
〔第５発明の構成〕
本第５発明は、第１〜第４発明のいずれか一つの構成において、次のように構成することにある。
前記前側及び後側の分割フィードチェーンカバーを脱穀装置に取り付けた状態において、前記前側の分割フィードチェーンカバーの前端辺部を、側面視で上方ほど後方に傾斜するように形成してある。
【００１９】
〔作用及び効果〕
本第５発明によれば、例えば図８に示すように、穀稈の株元がフィードチェーンカバーの前端辺部３１ａに摺接しながら移動しても、前端辺縁３１ａが後倒れの後退角を有するので円滑に穀稈を後方に移動させることができる。
例えば図８に示すように、前側の分割フィードチェーンカバー２８ａの前端辺部３１ａを上方ほど後方に傾斜するように形成すると、前側の分割フィードチェーンカバー２８ａを後側の分割フィードチェーンカバー２８ｂとして使用した場合、後側の分割フィードチェーンカバー２８ｂの後端辺部３１ｂは上方ほど後方に傾斜する後傾斜となり、後側の分割フィードチェーンカバー２８ｂの後端辺部３１ｂの上部部分が最後端位置となる。これにより、後側の分割フィードチェーンカバー２８ｂの後端辺部３１ｂの上部部分の位置が決まれば、後側の分割フィードチェーンカバー２８ｂの最後端位置が決まるので、前側及び後側の分割フィードチェーンカバー２８ａ，２８ｂの位置決めが容易となり、例えば前側及び後側の分割フィードチェーンカバー２８ａ，２８ｂを取り付けるに際して、後部に配置される細断装置（排藁カッター）との位置関係を容易に設定することができる。
【００２０】
〔第６発明の構成〕
本第６発明は、第１〜第５発明のいずれか一つの構成において、次のように構成することにある。
前記前側及び後側の分割フィードチェーンカバーを脱穀装置に取り付けた状態において、側面視で前記前側の分割フィードチェーンカバーの重心よりも上側で且つ該重心に対して前後に間隔を隔てて振り分けた前記前側の分割フィードチェーンカバーの部分に、一対のロック及びロック解除用の操作部を備え、前記前側及び後側の分割フィードチェーンカバーを脱穀装置に取り付けた状態において、側面視で前記後側の分割フィードチェーンカバーの重心よりも上側で且つ該重心に対して前後に間隔を隔てて振り分けた前記後側の分割フィードチェーンカバーの部分に、一対のロック及びロック解除用の操作部を備えてある。
【００２１】
〔作用及び効果〕
本第６発明によれば、前側及び後側の分割フィードチェーンカバーを着脱するに際して、前側及び後側の分割フィードチェーンカバーの操作部を持つことにより、前側及び後側の分割フィードチェーンカバーを安定して支えることができ、前側及び後側の分割フィードチェーンカバーの着脱操作が容易となる。
【図面の簡単な説明】
【００２２】
【図１】自脱型コンバインの全体側面図である。
【図２】自脱型コンバインの全体平面図である。
【図３】脱穀装置を示す縦断側面図である。
【図４】フィードチェーンカバーを示す脱穀装置の一部縦断正面図である。
【図５】脱穀装置の前壁付近を示す一部縦断正面図である。
【図６】開放姿勢の扱胴ケースを示す一部縦断正面図である。
【図７】扱室前端部の構造を示す一部横断平面図である。
【図８】脱穀装置のフィードチェーンカバーを示す側面図である。
【図９】脱穀装置及び穀粒タンクの後部を示す一部縦断右側面図である。
【図１０】脱穀装置及び穀粒タンクの後部を示す平面図である。
【図１１】脱穀装置の右側部分と穀粒タンクの後部を示す背面図である。
【発明を実施するための形態】
【００２３】
以下、本発明の実施の形態を図面に基づいて説明する。
図１及び図２に自脱型コンバインを示している。この自脱型コンバインは、左右一対のクローラ走行装置１，１に支持された機体フレーム２の前端部に、横軸芯周りで揺動昇降自在に刈取前処理装置３を装着するとともに、機体フレーム２に、脱穀装置４、搭乗運転部５、穀粒タンク６等を搭載装備し、脱穀装置４の後方に排藁カッター７を装着して構成している。穀粒タンク６の後部には、穀粒タンク６に収容した穀粒を排出するための穀粒搬出装置６４を備えている。
【００２４】
図１、図３及び図４に示すように、脱穀装置４は、後方ほど上位となる後上がりに配設されたフィードチェーン８で株元が挟持搬送される穀稈を脱穀処理する扱胴９を、前後支軸４７の軸芯周りで回転駆動される状態で扱室１０内に架設支持している。扱胴９の下面側に脱穀処理物を選別装置１１へ漏下処理する受網１２を配設している。前記受網１２からの漏下処理物及び受網１２の後端の送塵口１３より排出された処理物を受け止めて後方に搬送しながら選別処理を行う揺動選別装置１４を配設している。
【００２５】
扱室１０の天板１０ａに前壁１８及び後壁１９が連結されて、前壁１８及び後壁１９に扱胴９が前後支軸４７により回転駆動自在に支持されている。天板１０ａ、前壁１８及び後壁１９、扱胴９が回動支持板１０ｂにより後述する側室前壁５５及び側室後壁（図示せず）の支軸４９の軸心ｘ周りに開閉自在に構成されており、天板１０ａ、前壁１８及び後壁１９、扱胴９を持ち上げ状態で支持可能な支持ダンパー９０が備えられている。天板１０ａの内面には処理物の搬送方向を変更可能な送塵弁１０ｃが設けられている。
【００２６】
扱室１０のフィードチェーン８の配設側とは反対側に扱室側室５０を形成してある。受網１２から扱室側室５０に漏出した穀粒は、揺動選別装置１４のグレンパン１４ａ或いは選別板１４ｂ上に落下して選別処理される。
【００２７】
前記揺動選別装置１４へ選別風を供給する唐箕１５を揺動選別装置１４の前端部の下方に配置している。そして、選別処理された精選物を回収する一番物回収用スクリューコンベア１６と粗選別物を回収する二番物回収用スクリューコンベア１７とを揺動選別装置１４の下方にそれぞれ配設している。
【００２８】
図３〜図７に示すように、前記扱室側室５０の天板５０ａ及び扱室１０の天板１０ａの閉塞状態において、扱室側室５０の天板５０ａと扱室１０の天板１０ａとは同一の高さに設定されていて、扱室側室５０の天板５０ａの内側面には、扱室１０の前壁１８に沿う左右方向に補強フレーム５０ｂが設けられている。前記扱室側室５０の天板５０ａは、脱穀装置４の右横側端部に備えた支軸５１の軸芯ｙ周りに開閉自在に構成されている。扱室側室５０の天板５０ａの前側部分は、扱室１０の前壁１８の前方の扱胴駆動用の伝動ベルト５２を配置した伝動部空間Ｓを覆うことができるように、前伝動カバー５３，５４の位置まで前方に延設されている。扱室側室５０の後端部は、扱室１０の後壁１９の位置まで設けられている。
【００２９】
前記扱室側室５０における扱室１０の前壁１８に相当する位置には、前壁１８に沿う側室前壁５５が備えられていて、側室前壁５５に対して前側に膨出する形状で伝動ベルト５２を巻回するプーリ５６，５７，５８を支持するための支持壁５９を備えている。支持壁５９の上端縁及び扱室側端縁には補強フレーム６０を付設してある。伝動ベルト５２を、扱胴９の前後支軸４７の前端に取り付けた入力プーリ４８と、前記プーリ５６，５７，５８及び図示しない駆動プーリとに亘って巻回してある。
【００３０】
前記扱室側壁５５の上端の補強フレーム６０に載置される状態で、前後方向に伸びる脱穀装置４の上部フレーム６１を備えており、この上部フレーム６１に前記扱室側壁５０の天板５０ａの支軸５１が取り付けられている。上部フレーム６１の横側における、扱室側壁５５の上端の補強フレーム６０と天板５０ａの補強フレーム５０ｂの下端との間に隙間ができるので、これを閉塞するための塞ぎ板６２を設けて補強フレーム６０に固定してある。扱室１０の前壁１８と塞ぎ板６２との間は、回動支持板１０ｂの一部によって閉塞されている。
【００３１】
前記扱室１０の前壁１８と後壁１９との間における上唇板２０と下唇板２１との間の穀稈挿入口２２からフィードチェーン８で挟持搬送されている穀稈を挿入して脱穀する。図１、図３、図４に示すように、フィードチェーン８は、扱室１０の前壁１８と後壁１９との間の穀稈挿入口２２が位置する範囲では、直線状の後上がりに配備されており、この後上がりの直線状部分８ａよりも前側、即ち、扱室１０の前壁１８と後壁１９との間の穀稈挿入口２２が位置する部分よりも前側部分８ｂは、前記後上がりの直線状部分８ａの傾斜よりも勾配の大きい前下がり状に配備されている。
【００３２】
図１及び図４に示すように、扱室１０の下唇板２１よりも下方の脱穀装置４の側壁部２３には、唐箕１５の回転軸１５ａからのベルト式伝動機構２４を配設しているのであって、このベルト式伝動機構２４は、一番物回収用スクリューコンベア１６及び二番物回収用スクリューコンベア１７等へ伝動可能にそれぞれに設けたプーリ２５に伝動ベルト２６を巻き掛けて構成している。ベルト式伝動機構２４を覆う板金製の側部ベルトカバー２７は横長の箱状に形成されており、この側部ベルトカバー２７は側壁部２３に対して脱着自在に取り付けられている。すなわち、図１及び図４に示すように、側部ベルトカバー２７は脱穀装置４の前後長をカバーできる長さに設定してある。
【００３３】
前記側部ベルトカバー２７の上方には、板金製のフィードチェーンカバー２８を備えている。フィードチェーンカバー２８は、フィードチェーン８と挟持レール４６とによる穀稈の挟持搬送部よりも下方で、挟持搬送部の横外側部に近接する状態で配設してある。
【００３４】
図１及び図８に示すように、前記フィードチェーンカバー２８は前後に二分割に形成されて、二分割された前側の分割フィードチェーンカバー２８ａと後側のフィードチェーンカバー２８ｂを同一の外形状に形成してあり、前側の分割フィードチェーンカバー２８ａに対して後側のフィードチェーンカバー２８ｂを１８０度反転させ、前後の分割フィードチェーンカバー２８ａ，２８ｂの分割辺部２９を突き合わせた状態で、前側及び後側の分割フィードチェーンカバー２８ａ，２８ｂが脱穀装置４に取り付けられている。即ち、後側のフィードチェーンカバー２８ｂが、側面視で前側の分割フィードチェーンカバー２８ａに対して点対称に配置されている。
【００３５】
なお、ここでいう「同一の外形状」とは、分割フィードチェーンカバー２８ａ，２８ｂの外形の形状、つまり、外形の断面形状や側面視での外形の形状が同一であることを意味する。具体的には、金型成形時のカバーの外形の形状が同一であることを意味し、金型成形後に追加的に加工等を施す形状、例えば操作部３３を取り付けるための操作部取付用開口部の形状や、例えば金型成形後に取り付けられる固定フック３５等の形状を含むものではない。
【００３６】
図１及び図８に示すように、前側及び後側の分割フィードチェーンカバー２８ａ，２８ｂを脱穀装置４に取り付けた状態において、フィードチェーン８に沿って形成された扱室１０の穀稈挿入口２２（図４参照）に対応する前側及び後側の分割フィードチェーンカバー２８ａ，２８ｂの上辺部３０ａ，３０ｃが、側面視でフィードチェーン８及び挟持レール４６に沿った後上がり状で直線状に形成されている。前側及び後側の分割フィードチェーンカバー２８ａ，２８ｂの分割辺部２９の分割線２９ａが、側面視で穀稈挿入口２２に対応する上辺部３０ａ，３０ｃに対して直交するように形成されている。
【００３７】
図１及び図８に示すように、前側及び後側の分割フィードチェーンカバー２８ａ，２８ｂを脱穀装置４に取り付けた状態において、後側の分割フィードチェーンカバー２８ｂにおける穀稈挿入口２２に対応する上辺部３０ｃよりも後方に位置する上辺部３０ｄが、側面視で穀稈挿入口２２に対応する上辺部３０ｃよりも緩い登り傾斜に形成されている。後側の分割フィードチェーンカバー２８ｂの上辺部３０ｄの付近において、穀稈がフィードチェーン８から排藁チェーン（図示せず）に受け渡されるのであり、排藁チェーンにより排藁カッター７に供給される。
【００３８】
図１及び図８に示すように、前側及び後側の分割フィードチェーンカバー２８ａ，２８ｂを脱穀装置４に取り付けた状態において、前側の分割フィードチェーンカバー２８ａにおける穀稈挿入口２２に対応する上辺部３０ａよりも前方に位置する上辺部３０ｂが、側面視で穀稈挿入口２２に対応する上辺部３０ａよりも前下がり状に形成されている。上辺部３０ｂは、側面視で隣接する部分との角部を除いて直線状に形成されている。前側の分割フィードチェーンカバー２８ａの上辺部３０ｂの付近において、刈取前処理装置３から搬送されてきた穀稈が、フィードチェーン８に受け渡される。
【００３９】
図１及び図８に示すように、前側及び後側の分割フィードチェーンカバー２８ａ，２８ｂを脱穀装置４に取り付けた状態において、前側の分割フィードチェーンカバーの前端辺部３１ａが、側面視で上方ほど後方に傾斜するように形成されている。
【００４０】
前側の分割フィードチェーンカバー２８ａと後側のフィードチェーンカバー２８ｂは同一の外形状に形成されている。これにより、図１及び図８に示すように、前側及び後側の分割フィードチェーンカバー２８ａ，２８ｂを脱穀装置４に取り付けた状態において、前側の分割フィードチェーンカバー２８ａの上辺部３０ａ，３０ｂが、後側のフィードチェーンカバー２８ｂの下辺部３０ａ’， ３０ｂ’に対応している。後側のフィードチェーンカバー２８ｂの上辺部３０ｃ，３０ｄが、前側の分割フィードチェーンカバー２８ａの下辺部３０ｃ’， ３０ｄ’に対応している。前側の分割フィードチェーンカバー２８ａの前端辺部３１ａが、後側のフィードチェーンカバー２８ｂの後端辺部３１ｂに対応している。
【００４１】
以上の構成により、図１及び図８に示すように、前側及び後側の分割フィードチェーンカバー２８ａ，２８ｂを脱穀装置４に取り付けた状態において、前側及び後側の分割フィードチェーン２８ａ，２８ｂの下辺部３０ａ’，３０ｃ’が、側面視で前側及び後側の分割フィードチェーンカバー２８ａ，２８ｂの上辺部３０ａ，３０ｃと平行に後上がり状で直線状に形成されている。前側の分割フィードチェーンカバー２８ａの下辺部３０ｄ’が、前側及び後側の分割フィードチェーン２８ａ，２８ｂの下辺部３０ａ’，３０ｃ’よりも緩い登り傾斜に形成されている。後側の分割フィードチェーンカバー２８ｂの下辺部３０ｂ’が、前側及び後側の分割フィードチェーン２８ａ，２８ｂの下辺部３０ａ’，３０ｃ’よりも急な登り傾斜に形成されている。後側のフィードチェーンカバー２８ｂの後端辺部３１ｂが、上方ほど後方に傾斜するように形成されている。
【００４２】
図１及び図８に示すように、前側及び後側の分割フィードチェーンカバー２８ａ，２８ｂを脱穀装置４に取り付けた状態での前側及び後側の分割フィードチェーンカバー２８ａ，２８ｂの姿勢において、側面視で前側及び後側の分割フィードチェーンカバー２８ａ，２８ｂの中央付近に、前側及び後側の分割フィードチェーンカバー２８ａ，２８ｂの重心Ｇが位置している。
【００４３】
これにより、前側及び後側の分割フィードチェーンカバー２８ａ，２８ｂを脱穀装置４に取り付けた状態において、側面視で前側の分割フィードチェーンカバー２８ａの重心Ｇよりも上側で且つ重心Ｇに対して前後に間隔を隔てて振り分けた前側の分割フィードチェーンカバー２８ａの部分に、一対のロック及びロック解除用の操作部３３が備えられている。側面視で後側の分割フィードチェーンカバー２８ｂの重心Ｇよりも上側で且つ重心Ｇに対して前後に間隔を隔てて振り分けた後側の分割フィードチェーンカバー２８ｂの部分に、一対のロック及びロック解除用の操作部３３が備えられている。
【００４４】
前側及び後側の分割フィードチェーンカバー２８ａ，２８ｂには、操作部３３を取り付ける操作部取付用開口部が上記のように設定された操作部３３の取付位置に対応した位置に形成されている。操作部取付用開口部は、前側及び後側の分割フィードチェーンカバー２８ａ，２８ｂの外形状とは異なり、前側及び後側の分割フィードチェーンカバー２８ａ，２８ｂの金型成形後に追加的な穴加工によって形成されるものであり、前側の分割フィードチェーンカバー２８ａと後側分割フィードチェーンカバー２８ｂとでカバーの外形状に対して異なる位置に形成されている。
【００４５】
図４に示すように、前側及び後側の分割フィードチェーンカバー２８ａ，２８ｂには、操作部３３の可動フック３４と重心Ｇよりも下方に形成した固定フック３５とを備えている。固定フック３５は、前側及び後側の分割フィードチェーンカバー２８ａ，２８ｂの内面にスポット溶接で固定してあり、固定フック３５を係合させる丸棒からなる被係合金具３６は、下唇板２１の下方の側壁部２３より外方に向けて取り付けてある。
【００４６】
操作部３３は、可動フック３４と、可動フック３４の支持体３７とを備えている。支持体３７は、前側及び後側の分割フィードチェーンカバー２８ａ，２８ｂに形成された操作部用開口部に挿入されて接着剤や止めネジや挟み込み構造等により固定されている。後側の分割フィードチェーンカバー２８ｂにおいて可動フック３４を係合させる丸棒からなる被係合金具３８のうち、前側の被係合金具３８は、フィードチェーン８の案内部材３９に取り付けてあり、後側の被係合金具３８は、下唇板２１の下方の側壁部２３に取り付けてある。前側の分割フィードチェーンカバー２８ａにおいて可動フック３４を係合させる丸棒からなる前側及び後側の被係合金具３８はいずれも下唇板２１の下方の側壁部２３に取り付けてある。可動フック３４は、操作部３３の下端部内面に指を掛けて引き上げることで、可動フック３４が枢支部４０周りで下方に揺動し、被係合金具３８との係合が離脱してロック解除される。操作部３３に対する操作力を解除すると図示しないバネにより基の姿勢に復帰するようにしてある。
【００４７】
前側及び後側の分割フィードチェーンカバー２８ａ，２８ｂを装着するときは、丸棒からなる被係合金具３６に固定フック３５を係合させて、分割フィードチェーンカバー２８ａ，２８ｂの上部の操作部３３の近傍を押すと、可動フック３４が被係合金具３８に接当しながら下方に揺動して、可動フック３４が被係合金具３８に係合しロックされる。
【００４８】
前側及び後側の分割フィードチェーンカバー２８ａ，２８ｂの下方に設けた側部ベルトカバー２７は３つに分割されている。三分割された側部ベルトカバー２７ａ，２７ｂ，２７ｃを側壁部２３に固定する可動フック４１を備えた操作部４２及び固定フック４３は、前側及び後側の分割フィードチェーンカバー２８ａ，２８ｂに設けた操作部３３及び固定フック３５と同じ構造を備えている。すなわち、側部ベルトカバー２７ａ，２７ｂ，２７ｃの内面側の下部の前後一対の固定フック４３が係合する被係合金具４４を側壁部２３に設けるとともに、側部ベルトカバー２７ａ，２７ｂ，２７ｃの上部の可動フック４１が係合する上側の被係合金具４５を側壁部２３に設けている。
【００４９】
図１及び図２に示すように、穀粒搬出装置６４は、穀粒タンク６の後側から供給される穀粒を受け取って上方側へ搬送する縦送り搬送部６５と、縦送り搬送部６５の終端側に接続されて、縦送り搬送部６５から供給された穀粒を横送り搬送して、終端の吐出口６６から外部へ排出する横送り搬送部６７とから構成されている。図１及び図２は、横送り搬送部６７が機体上の受け台６８に載置された格納状態を示している。
【００５０】
図９に示すように、前記縦送り搬送部６５の縦送り筒６５ａの上端側に連設される横送り搬送部６７の横送り筒６７ａは、油圧シリンダ６９によって、縦送り筒６５ａの上端側における水平方向の横軸心Ｙ周りで起伏揺動自在に構成されている。
【００５１】
前記縦送り筒６５ａの外周部には環状の従動ギヤ７０が一体に形成してあり、旋回用電動モータ７１の駆動ギヤ７２と噛合して駆動されることによって、前記縦送り筒６５ａを縦軸心Ｚ周りで旋回作動可能に構成してある。
【００５２】
図３及び図１０に示すように、揺動選別装置１４は、脱穀装置４の後部における左右の側壁部２３に亘って架設される偏芯駆動軸７４を備え、偏芯駆動軸７４の一端を左の側壁部２３より外方に突出させてその突出端に駆動プーリ７５を取り付け、他端を右の側壁部２３の外側でベアリング７６により回転自在に支持している。
【００５３】
前記駆動プーリ７５の回転軸７７及び偏芯駆動軸７４のベアリング７６の支軸部７８に対して、前記偏芯駆動軸７４におけるシーブケース７９に対する偏芯軸支部７４ａが偏芯している。これにより偏芯駆動軸７４の回動によって、シーブケース７９が揺動して選別処理物が選別される。
【００５４】
図９〜図１１に示すように、脱穀装置４の右の側壁部２３と穀粒タンク６の下部の傾斜側壁６Ａとの間には、空間ＤＳが形成されている。空間ＤＳを後方から見えないように閉塞するための閉塞板８０が穀粒タンク６の後壁６Ｂの後方に設けられている。前記閉塞板８０は、脱穀装置４の後端位置に沿って上下に配設された縦板８０ａと、前記偏芯駆動軸７４の支軸部７８を迂回する形で縦板８０ａから穀粒タンク６の後壁６Ｂまで伸びる水平板８０ｂと、穀粒タンク６の後壁６Ｂに沿って配設された縦板８０ｃと、この縦板８０ｃから機体フレーム２の後端まで延設され且つ斜め後方下方に傾斜した傾斜板８０ｄとで一体的に形成されている。前記閉塞板８０によって、空間ＤＳを閉塞するとともに、偏芯駆動軸７４等のメンテナンスの妨げになり難い状態で、脱穀装置４の後方に配設された排藁カッター７の排出口７ａから排出された塵埃などが空間ＤＳに入り込まないように且つ傾斜板８０ｄにより堆積しないで下方に落下し易いように構成している。
【００５５】
〔別実施の形態〕
（１）上記主たる実施の形態では、前側及び後側の分割フィードチェーンカバー２８ａ，２８ｂを脱穀装置４に取り付けた状態において、前側の分割フィードチェーンカバー２８ａの上辺部３０ｂを側面視で直線状に形成してあるが、側面視で上辺部３０ｂを上側に凸曲した湾曲線状に形成してもよい。このように構成すると、後側のフィードチェーンカバー２８ｂの下辺部３０ｂ’が、下側に凸曲した湾曲線状に形成される。
【００５６】
（２）上記主たる実施の形態では、前側及び後側の分割フィードチェーンカバー２８ａ，２８ｂを脱穀装置４に取り付けた状態において、前側及び後側の分割フィードチェーンカバー２８ａ，２８ｂの上辺部３０ａ，３０ｃを、側面視でフィードチェーン８に沿った後上がり状の直線に形成したが、分割フィードチェーンカバー２８ａ，２８ｂの上辺部３０ａ，３０ｃを少し上方に凸曲した緩やかな湾曲線状に形成してもよい。このように構成すると、前側及び後側の分割フィードチェーンカバー２８ａ，２８ｂの下辺部３０ａ’，３０ｃ’が、少し下方に凸曲した緩やかな湾曲線状に形成される。
【００５７】
（３）上記主たる実施の形態では、前側及び後側の分割フィードチェーンカバー２８ａ，２８ｂを脱穀装置４に取り付けた状態において、後側の分割フィードチェーンカバー２８ｂにおける穀稈挿入口２２に対応する部分の上辺部３０ｃよりも後方に位置する上辺部３０ｄを、穀稈挿入口２２に対応する部分の上辺部３０ｃよりも緩い登り傾斜に構成してあるが、後側の分割フィードチェーンカバー２８ｂの上辺部３０ｄを、略水平に形成してもよい。このように構成すると、前側のフィードチェーンカバー２８ａの下辺部３０ｄ’が略水平に形成される。
【００５８】
（４）上記主たる実施の形態では、フィードチェーンカバー２８を板金製のもので構成した例を示したが、フィードチェーンカバー２８の材質として金属以外のものを採用してもよく、例えばフィードチェーンカバー２８を硬質の樹脂等で構成してしてもよい。
【産業上の利用可能性】
【００５９】
本発明は、機体の後部に排藁カッター７を備えていない自脱型コンバインや、２条刈りや３条刈りの小型の自脱型コンバインや、キャビン付きの大型の自脱型コンバインにも適用できる。
【符号の説明】
【００６０】
４              脱穀装置
８              フィードチェーン
１０            扱室
２２            穀稈挿入口
２８            フィードチェーンカバー
２８ａ          前側の分割フィードチェーンカバー
２８ｂ          後側の分割フィードチェーンカバー
２９            前側及び後側の分割フィードチェーンカバーの分割辺部
３０ａ，３０ｃ  フィードチェーンに沿って形成された扱室の穀稈挿入口に対応する前側及び後側の分割フィードチェーンカバーの上辺部
３０ｂ          前側の分割フィードチェーンカバーにおける穀稈挿入口に対応する上辺部よりも前方に位置する上辺部
３０ｄ          後側の分割フィードチェーンカバーにおける穀稈挿入口に対応する上辺部よりも後方に位置する上辺部
３１ａ          前側のフィードチェーンカバーの前端辺部
３３            操作部
Ｇ              重心
【図１】
2011160756.tif 000003
【図２】
2011160756.tif 000004
【図３】
2011160756.tif 000005
【図４】
2011160756.tif 000006
【図５】
2011160756.tif 000007
【図６】
2011160756.tif 000008
【図７】
2011160756.tif 000009
【図８】
2011160756.tif 000010
【図９】
2011160756.tif 000011
【図１０】
2011160756.tif 000012
【図１１】
2011160756.tif 000013